(57)【要約】【課題】省スペース化を図る共に美観に優れ、かつ受信品質を容易に改善できるアンテナ付き家具を提供する。【解決手段】テレビ受像機１６を収納するテレビ台１０には、背面板１４の裏面側に２本のアンテナスライド用レール１７ａ、１７ｂを所定の間隔で装着する。上記レール１７ａ、１７ｂには、任意のレールにテレビ受信用のアンテナ２０を着脱自在に、且つスライド可能に装着する。アンテナ２０は同軸ケーブル２６を介してテレビ受像機１６のアンテナ入力端子に接続する。そして、アンテナ２０を任意のレール１７ａ、１７ｂに装着し、テレビ受像機１６によりテレビ放送を受信している状態でレールに沿って移動させ、最良の受信状態が得られる位置を探してセットする。【選択図】      図１
2007288684.tif 000002
【特許請求の範囲】
【請求項１】
テレビ受像機を載置する家具であって、家具には移動手段を有するアンテナが設けられていることを特徴とするアンテナ付き家具。
【請求項２】
前記アンテナは、少なくとも１波長の長さを移動可能としたことを特徴とする請求項１に記載のアンテナ付き家具。
【請求項３】
テレビ受像機を収納する家具と、前記家具に装着されるアンテナスライド用レールと、前記アンテナスライド用レールに着脱可能に且つスライド可能に装着されるテレビ受信用のアンテナとを具備することを特徴とするアンテナ付き家具。
【請求項４】
前記アンテナスライド用レールを複数設けたことを特徴とする請求項３に記載のアンテナ付き家具。
【請求項５】
テレビ受像機を収納する家具と、前記家具に装着される複数のテレビ受信用のアンテナと、前記複数のアンテナを選択して前記テレビ受像機に接続するアンテナ切替手段とを具備することを特徴とするアンテナ付き家具。
【発明の詳細な説明】
【技術分野】
【０００１】
本発明は、例えば地上デジタル放送などの地上放送波受信用のアンテナを備えたアンテナ付き家具に関する。
【背景技術】
【０００２】
従来、ＴＶ放送としては地上アナログＴＶ放送（ＶＨＦ、ＵＨＦ）や衛星放送（ＣＳ／ＢＳ）が行なわれているが、更に近年では地上デジタルＴＶ放送が開始されている。地上デジタル放送は、ＵＨＦ帯の高い周波数帯域（４７０〜７７０ＭＨｚ）が使用され、また、デジタル放送の特徴から、ある程度の受信信号のＣＮ比が得られる地域であれば、小形な室内アンテナでも、ゴースト妨害のない良好な受信が可能である。
【０００３】
また、一般家庭で使用されるテレビ受像機は、テレビ台、ＡＶボード等の家具に載置し、あるいは収納している。上記家具は、同時にビデオデッキやＨＤＤレコーダ等を載置したり収納できるようになっている（例えば、特許文献１参照。）。
【特許文献１】実用新案登録第３０６８６００号公報
【発明の開示】
【発明が解決しようとする課題】
【０００４】
上記室内アンテナは、一般に指向性を有しているので、設置場所を変えることで受信条件を変化させて受信品質を改善している。しかし、設置場所が室内におけるスペースに制限されるため、最良の受信条件を得ることが困難であった。又、室内アンテナをテレビ受像機の脇などに設置する場合、アンテナ本体を回転させて受信品質を改善することができるが、最良受信の方向がテレビ受像機の向きと同じにならず、美観を損ねるという問題があった。
【０００５】
本発明は上記の課題を解決するためになされたもので、テレビ受像機を収納する家具にテレビ受信用のアンテナを一体に構成することで省スペース化を図る共に美観に優れ、かつ受信品質を容易に改善できるアンテナ付き家具を提供することを目的とする。
【課題を解決するための手段】
【０００６】
第１の発明は、テレビ受像機を載置する家具であって、家具には移動手段を有するアンテナが設けられていることを特徴とする。
【０００７】
第２の発明は、前記第１の発明に係るアンテナ付き家具において、前記アンテナは、少なくとも１波長の長さを移動可能としたことを特徴とする。
【０００８】
第３の発明に係るアンテナ付き家具は、テレビ受像機を収納する家具と、前記家具に装着されるアンテナスライド用レールと、前記アンテナスライド用レールに着脱可能に且つスライド可能に装着されるテレビ受信用のアンテナとを具備することを特徴とする。
【０００９】
第４の発明は、前記第３の発明に係るアンテナ付き家具において、アンテナスライド用レールを複数設けたことを特徴とする。
【００１０】
第５の発明に係るアンテナ付き家具は、テレビ受像機を収納する家具と、前記家具に装着される複数のテレビ受信用のアンテナと、前記複数のアンテナを選択して前記テレビ受像機に接続するアンテナ切替手段とを具備することを特徴とする。
【発明の効果】
【００１１】
本発明によれば、テレビ受像機を収納する家具にテレビ受信用のアンテナを備えることで省スペース化を図ることができ、且つアンテナを家具の正面からは見えにくい場所に配置することによって美観を保つことができる。更に家具にアンテナスライド用レールを設け、アンテナをスライドできる構成とすることにより、アンテナの位置を調整して最良の受信品質が得られる位置にセットすることができる。
【発明を実施するための最良の形態】
【００１２】
以下、図面を参照して本発明の実施形態を説明する。
【００１３】
（第１実施形態）
図１は本発明の第１実施形態に係るアンテナ付き家具を背面側から見た斜視図、図２は図１におけるアンテナ装着部を拡大して示す図である。なお、本実施形態では、テレビ台に実施した場合の構成例を示している。
【００１４】
図１において、１０はテレビ台で、天板１１、底板１２及び左右の側板１３及び背面板１４により箱状に形成し、その内部に例えばビデオデッキやＨＤＤレコーダ等を収納できるようにしている。この場合、背面板１４は、天板１１より上方に延ばして十分な高さを持たせている。また、テレビ台１０の前面は、開放状態に形成しても、あるいはガラス板や木製の板材等により構成した前面扉を設けても良い。  
そして、上記テレビ台１０には、天板１１上に例えば地上デジタルテレビ等のテレビ受像機１６が載置される。
【００１５】
上記背面板１４の背面側には、水平方向に複数本例えば２本のアンテナスライド用レール１７ａ、１７ｂが所定の間隔を保って装着される。上記アンテナスライド用レール１７ａ、１７ｂとしては、使用周波数の１λ（λ：波長）以上の長さを持つことが望ましい。上記アンテナスライド用レール１７ａ、１７ｂには、テレビ受信用の平面状アンテナ２０が着脱自在に装着される。上記平面状アンテナ２０は、例えば平面状で且つ面に対して垂直方向に指向性のあるアンテナ、例えば公開特許公報２００５−２４４９２６号にあるようなアンテナを用いることができる。
【００１６】
上記アンテナスライド用レール１７ａ、１７ｂは、合成樹脂等の非金属部材を用いて構成したもので、図３に示すように断面が略Ｖ形状に形成され、背面板１４に取付けられる。一方、平面状アンテナ２０には、背面側にスライド案内部材１９が水平方向に取付けられる。スライド案内部材１９は、例えば合成樹脂等の非金属部材で形成される。なお、上記平面状アンテナ２０は、スライド案内部材１９を金属で構成して一体化することも可能である。
【００１７】
上記平面状アンテナ２０は、図５に示すようにスライド案内部材１９が背面にネジ３２により固着されており、スライド案内部材１９の２箇所の溝部とアンテナスライドレールの上記Ｖ形状の端部がＦ、Ｆ’部において当接、左右にスライドするように装着され、図１に矢印で示すように左右にスライドできるようになっている。なお、図１及び図２では、平面状アンテナ２０をアンテナスライド用レール１７ａに装着した状態を示している。
【００１８】
上記平面状アンテナ２０は、例えば枠体２１に平面状のアンテナ素子２２を収納し、全体を樹脂モールドで覆った構成となっている。上記アンテナ素子２２の給電点（図示せず）に同軸ケーブル２６が接続される。この同軸ケーブル２６の先端には、テレビ接続用のコネクタ２７が装着される。上記同軸ケーブル２６及びコネクタ２７は、背面板１４に設けられた導出孔２８から前面側に導出され、テレビ台１０上に設置されているテレビ受像機１６のアンテナ端子に接続される。
【００１９】
図３は背面板１４に上記アンテナスライド用レール１７ａ、１７ｂが取付けられている状態を示している。アンテナスライド用レール１７ａ、１７ｂは取付けネジ３１により背面板１４に取付けられる。アンテナスライド用レールの左右の端部には取付けネジ３１によりストッパ３０が取付けられて上記平面状アンテナ２０を左右にスライドした時にレールから外れないよう保護している。
【００２０】
図４は上記平面状アンテナ２０の背面にスライド案内部材１９をネジ３２により取付けた状態を示している。
【００２１】
上記のように構成されたテレビ台１０において、テレビ受像機１６によりテレビ放送を受信している状態で、平面状アンテナ２０を例えばアンテナスライド用レール１７ａに沿って移動させ、最良の受信状態の位置を探してセットする。この際必要ならアンテナ位置を固定するため、くさび状の樹脂部材（図示せず）を背面板１４とスライド案内部材１９の間に挿入し、上記セット位置の固定を行うことが可能である。アンテナスライド用レール１７ａ上で良好な受信状態が得られない場合には、平面状アンテナ２０をアンテナスライド用レール１７ａから外して他のアンテナスライド用レール１７ｂに装着し、スライドさせて最良の受信状態の位置を探してセットする。上記アンテナスライド用レール１７ａ、１７ｂは、平面状アンテナ２０を使用周波数の１λ程度移動できる長さに設定することで、受信品質を確実に改善することができる。
【００２２】
図６は、地上デジタルＴＶ放送を受信する場合において、アンテナをスライドした時のＣ／Ｎ（Carrier to Noise ratio）変化を示したもので、横軸にスライド幅（λ）をとり、縦軸にＣ／Ｎをとって示した。図６において、Ｃ／Ｎの約１６〜２０の範囲Ａがブロックノイズ領域で、受信電波のＣ／Ｎがブロックノイズ領域の範囲Ａより大きければ受信可能、受信電波のＣ／Ｎがブロックノイズ領域の範囲Ａより小さければブロックノイズ以下の受信品質となり受信不可能であることを示している。
【００２３】
図３６からも分かるようにアンテナをスライドさせて受信状態を調整する場合、受信電波のＣ／Ｎの最大値と最小値が１λの範囲内に含まれている。従って、上記アンテナスライド用レール１７ａ、１７ｂの長さを約１λに設定しておけば、アンテナをスライドさせてＣ／Ｎの最も大きい位置にセットでき、高い受信品質を得ることができる。
【００２４】
上記実施形態によれば、テレビ台１０にテレビ受信用のアンテナ例えば平面状アンテナ２０を備えることで省スペース化を図ることができ、且つ平面状アンテナ２０をテレビ台１０の背面や側面等、正面からは見えにくい場所に装着することによって美観を保つことができる。更にテレビ台１０にアンテナスライド用レール１７ａ、１７ｂを設け、アンテナ２０をスライドできる構成とすることにより、平面状アンテナ２０の位置を調整して最良の受信品質が得られる位置にセットすることができる。
【００２５】
また、アンテナがテレビ受像機あるいはテレビ台に収納したビデオデッキやＨＤＤレコーダ等の電子機器から電磁的な影響を受ける場合には、アンテナをスライドさせ、あるいは他のレールに装着するなどして電磁的な影響を受けない場所に移動することにより、電磁的な影響を回避することができる。
【００２６】
更に上記第１実施形態では、アンテナスライド用レール１７ａ、１７ｂに対して平面状アンテナ２０を着脱可能に設けているので、テレビ台１０から平面状アンテナ２０を取り外して壁面等に取付けることも可能である。この場合、壁面には、壁面取付用アダプタをネジにより取付け、上記壁面取付用アダプタに平面状アンテナ２０のスライド案内部材１９を係合させる。上記壁面取付用アダプタは、アンテナスライド用レール１７ａ、１７ｂと同様に略Ｖ形状に形成し、壁面との間に平面状アンテナ２０のスライド案内部材１９を装着できるように構成する。
【００２７】
なお、スライド案内部材１９を上記平面状アンテナ２０を構成するアンテナ素子の金属部材の一部分を切り欠き、折り曲げることで一体的に形成することも可能である。
【００２８】
（第２実施形態）
次に本発明の第２実施形態に係るアンテナ付き家具について説明する。  
図７は、本発明の第２実施形態に係るテレビ台１０を背面側から見た斜視図である。この第２実施形態は、上記第１実施形態に係るテレビ台１０において、背面板１４にアンテナスライド用レール１７を斜めに設けた場合の例を示したものである。
【００２９】
アンテナスライド用レール１７を斜めに設ける場合、第１実施形態におけるアンテナスライド用レール１７ａ、１７ｂと同じものを使用でき、また、平面状アンテナ２０の背面に設けるスライド案内部材１９も同じで良い。この場合、平面状アンテナ２０の背面に装着するスライド案内部材１９をアンテナスライド用レール１７の傾斜に対応させて予め斜めに取付けることにより、平面状アンテナ２０をアンテナスライド用レール１７に装着した際、水平状態に保つことができる。
【００３０】
アンテナのセット位置を固定するためには、上記第1実施形態で説明したと同様にくさび状の樹脂部材を背面板１４とスライド案内部材１９の間に挿入する。
【００３１】
(第３実施形態)
次に本発明の第３実施形態に係るアンテナ付き家具について説明する。  
この第３実施形態に係るアンテナ付き家具は、図８に示すようにテレビ台１０の側板１３に垂直方向にアンテナスライド用レール１８を設け、アンテナ２０を垂直方向に移動させることにより受信最良点にアンテナ高さを固定するものである。
【００３２】
垂直に配置するアンテナスライド用レール１８は、例えば図８（ａ）、（ｂ）、（ｃ）に示すように構成される。図８（ａ）はアンテナスライド用レール１８をテレビ台１０の側板１３に装着した状態を示す斜視図、同図（ｂ）はアンテナ取付部分を含む要部断面図、同図（ｃ）はレール固定部分の構成を示す断面図である。
【００３３】
アンテナスライド用レール１８には、レール基板４１の中央部にＴ字状のレール４２が垂直に設けられる。このＴ字状のレール４２は、ネジ４０により側板１３に固定されるもので、その前面中央部には、一定幅の凹凸部４３が上下方向に形成されている。上記Ｔ字状のレール４２には、断面が略Ｃ字状の摺動体４４が摺動可能に装着される。上記摺動体４４の前面中央部にはネジ溝４５が形成され、このネジ溝４５に締付ネジ４６が螺着される。この締付ネジ４６の頭部には締付ノブ４７が設けられ、この締付ノブ４７を操作して締付ネジ４６を締付けることにより、その先端がＴ字状のレール４２の凹凸部４３に圧接して摺動体４４の位置を固定する。
【００３４】
また、摺動体４４の内側には、図８（ｂ）に示すようにＴ字状のレール４２に圧接するように板バネ４８が設けられ、摺動体４４を安定した状態で上下に移動できるようになっている。
【００３５】
上記のように構成されたアンテナスライド用レール１８は、締付ノブ４７を回して締付ネジ４６を緩めると、締付ネジ４６の先端とＴ字状のレール４２の凹凸部４３との係合が外れ、摺動体４４を上下方向に移動できるようになる。また、締付ノブ４７を回して締付ネジ４６を締付けると、締付ネジ４６の先端がＴ字状のレール４２の凹凸部４３に圧接して摺動体４４の位置が固定される。従って、摺動体４４は、Ｔ字状のレール４２上において、任意の位置に移動して固定することが可能である。
【００３６】
従って、摺動体４４に装着したアンテナ２０の位置を調整する場合には、締付ノブ４７を回して締付ネジ４６を緩めると摺動体４４を移動できるようになるので、この状態で摺動体４４を移動して受信品質が最良となるようにアンテナ２０の位置を調整する。アンテナ２０の位置調整を終了した後は、締付ノブ４７を回して締付ネジ４６を締付け、摺動体４４の位置を固定する。
【００３７】
上記摺動体４４には軸部６０からなる蝶番部４９が設けられており取付けネジ５０によりアンテナ２０を装着する。また上記の蝶番機構によりアンテナ２０を受信品質が最良となる方向に軸部６０を支点として自在に動かすことができる。
【００３８】
上記第３実施形態によれば、第１実施形態と同様にテレビ台１０にテレビ受信用のアンテナ例えばアンテナ２０を備えることで省スペース化を図ることができると共に美観を保つことができる。また、テレビ台１０にアンテナスライド用レール１８を設け、アンテナ２０をスライドできる構成とすることにより、アンテナ２０の位置を調整して最良の受信品質が得られる位置にセットすることができる。
【００３９】
また、第３実施形態におけるアンテナスライド用レール１８は、テレビ台１０の側板１３あるいは背面板１４等に垂直に装着しても、締付ノブ４７を操作することにより、アンテナ２０を任意の高さに移動して固定することが可能である。
【００４０】
（第４実施形態）
次に本発明の第４実施形態に係るアンテナ付き家具について説明する。  
図９は、本発明の第４実施形態に係るテレビ台１０を背面側から見た斜視図である。この第４実施形態は、上記第１実施形態に係るテレビ台１０において、アンテナスライド用レール１７ａ、１７ｂに複数例えば２つのアンテナ２０ａ、２０ｂを装着し、この２つのアンテナ２０ａ、２０ｂをアンテナ切替器５１により切替えてテレビ受像機１６のアンテナ端子に接続するようにしたものである。
【００４１】
上記のように複数のアンテナ２０ａ、２０ｂをアンテナ切替器５１により切替えてテレビ受像機１６のアンテナ端子に接続することにより、良好な受信品質が得られるアンテナを選択することができる。
【００４２】
従って、上記第４実施形態においては、更に異なる位置にアンテナを着脱可能あるいは固定して設けても良い。
【００４３】
なお、上記各実施形態では、テレビ台１０の背面板１４及び側板１３にアンテナスライド用レール１７、１７ａ、１７ｂ、１８を設けた場合について説明したが、その他の場所にアンテナスライド用レールを設けても良い。
【００４４】
また、上記各実施形態では、テレビ台１０の背面板１４を天板１１より高く形成した場合について説明したが、背面板１４を天板１１と同じ高さに形成した場合であっても、上記実施形態と同様にした実施し得るものである。
【００４５】
また、上記実施形態では、テレビ台１０に実施した場合について示したが、テレビ収納機能及びその他の収納機能を備えた家具において実施し得るものである。
【００４６】
また、本発明は、上記実施形態そのままに限定されるものではなく、実施段階ではその要旨を逸脱しない範囲で構成要素を変形して具体化できるものである。
【図面の簡単な説明】
【００４７】
【図１】本発明の第１実施形態に係るアンテナ付き家具を背面側から見た斜視図である。
【図２】同実施形態におけるアンテナ装着部を拡大して示す図である。
【図３】同実施形態における背面板とアンテナスライド用レールの装着状態を示す図である。
【図４】同実施形態におけるアンテナとスライド案内部材の装着状態を示す図である。
【図５】同実施形態における背面板、アンテナスライド用レール、スライド案内部材及びアンテナの装着状態を示す図である。
【図６】同実施形態において、アンテナをスライドした時のＣ／Ｎ変化を示す図である。
【図７】本発明の第２実施形態に係るアンテナ付き家具を背面側から見た斜視図である。
【図８】本発明の第３実施形態に係るアンテナ付き家具において、垂直方向に設置するアンテナスライド用レールの構成例を示すもので、（ａ）はレールをテレビ台の側板に装着した状態を示す斜視図、（ｂ）はアンテナ取付部分を含む要部断面図、同図（ｃ）はレール固定部分の構成を示す断面図である。
【図９】本発明の第４実施形態に係るアンテナ付き家具を背面側から見た斜視図である。
【符号の説明】
【００４８】
１０…テレビ台、１１…天板、１２…底板、１３…側板、１４…背面板、１６…テレビ受像機、１７、１７ａ、１７ｂ、１８…アンテナスライド用レール、１９…スライド案内部材、２０、２０ａ、２０ｂ…平面状アンテナ、２１…枠体、２２…アンテナ素子、２６…同軸ケーブル、２７…コネクタ、２８…導出孔、３０…ストッパ、３１、３２、４０…ネジ、４１…レール基板、４２…Ｔ字状のレール、４３…凹凸部、４４…摺動体、４５…ネジ溝、４６…締付ネジ、４７…締付ノブ、４８…板バネ、４９…蝶番部、５０…取付けネジ、５１…アンテナ切替器、６０…軸部
【図１】
2007288684.tif 000003
【図２】
2007288684.tif 000004
【図３】
2007288684.tif 000005
【図４】
2007288684.tif 000006
【図５】
2007288684.tif 000007
【図６】
2007288684.tif 000008
【図７】
2007288684.tif 000009
【図８】
2007288684.tif 000010
【図９】
2007288684.tif 000011